(57)【要約】【課題】容易に所望の音響特性を設定できる「オーディオ装置」を提供する。【解決手段】ポーズ状態とされたビデオソース機器１によって静止画表示が行われているときに（ａ）、ユーザから入力装置３によって範囲４０１の指定を受け付け（ｂ）、範囲４０１内の画像（ｃ）に対して画像認識処理を施して認識対象（「女性ボーカル」）を識別し、イコライザ特性テーブル１３に、識別した認識対象に対応づけて登録されているイコライザ特性をイコライザ６に設定する。イコライザ特性テーブル１３には、予め、各認識対象に対応づけて、当該認識対象の発生する音を際だたせるイコライザ特性を登録する。【選択図】図４
2011217328.tif 000002
【特許請求の範囲】
【請求項１】
映像の表示と共に、音声の出力を行うオーディオ装置であって、
前記出力する音声を、設定された特性値が表す音響特性で調整するイコライザと、
複数の対象物について、当該対象物の識別と前記特性値との対応を登録した特性値テーブルと、
前記ユーザから前記映像の表示上で範囲の指定を受け付けて、前記表示されている映像中の前記指定された範囲内の部分に画像認識処理を施して、当該範囲内の部分に像が含まれる前記対象物を認識する画像認識手段と、
前記画像認識手段が認識した前記対象物の識別との対応が前記特性値テーブルに登録されている前記特性値を前記イコライザに設定するイコライザ特性設定手段とを有することを特徴とするオーディオ装置。
【請求項２】
請求項１記載のオーディオ装置であって、
前記複数の対象物は、各々音の発生源であって、
前記特性値テーブルに登録されている、前記対象物の識別と対応する前記特性値は、当該対象物の発生する音を際だたせる音響特性を表すことを特徴とするオーディオ装置。
【請求項３】
請求項１または２記載のオーディオ装置であって、
前記イコライザ特性設定手段は、画像認識手段が複数の対象物を認識した場合に、当該複数の対象物の内からの一つの対象物の選択をユーザから受け付け、選択を受け付けた対象物の識別との対応が前記特性値テーブルに登録されている前記特性値を前記イコライザに設定することを特徴とするオーディオ装置。
【請求項４】
映像の表示と共に、音声の出力を行う、前記出力する音声を、設定された特性値が表す音響特性で調整するイコライザを備えたコンピュータによって読み取られ実行されるコンピュータプログラムであって、
前記コンピュータを、
複数の対象物について、当該対象物の識別と前記特性値との対応を登録した特性値テーブルと、
前記ユーザから前記映像の表示上で範囲の指定を受け付けて、前記表示されている映像中の前記指定された範囲内の部分に画像認識処理を施して、当該範囲内の部分に像が含まれる前記対象物を認識する画像認識手段と、
前記画像認識手段が認識した前記対象物の識別との対応が前記特性値テーブルに登録されている前記特性値を前記イコライザに設定するイコライザ特性設定手段として機能させることを特徴とするコンピュータプログラム。
【発明の詳細な説明】
【技術分野】
【０００１】
本発明は、オーディオ装置において出力音に与える音響特性を設定する技術に関するものである。
【背景技術】
【０００２】
オーディオ装置において出力音に与える音響特性を設定する技術としては、予め用意しておいた複数の音響特性の名称のリストを表示し、表示したリスト上で、ユーザが名称を指示した音響特性を表すグラフを表示しつつ、ユーザによって名称を選択された音響特性を、出力音に与える音響特性として設定する技術が知られている（たとえば、特許文献１）。
【先行技術文献】
【特許文献】
【０００３】
【特許文献１】特開２０００-１８１４６２号公報
【発明の概要】
【発明が解決しようとする課題】
【０００４】
上述した音響特性の名称のリスト上で、出力音に与える音響特性の選択を受け付ける技術によれば、ユーザが、出力中のオーディオコンテンツに無関係な音響特性を含む多数の音響特性のうちから、所望の音響特性を選択する煩雑な操作を行う必要がある。
【０００５】
また、音響特性の名称や音響特性を表すグラフによっては、その音響特性の効果を把握し難い場合もあり、このような場合には、直ちに所望の音響特性を設定することが困難となる。
そこで、本発明は、より容易に所望の音響特性を設定できるオーディオ装置を提供することを課題とする。
【課題を解決するための手段】
【０００６】
前記課題達成のために、本発明は、映像の表示と共に、音声の出力を行うオーディオ装置に、前記出力する音声を、設定された特性値が表す音響特性で調整するイコライザと、複数の対象物について、当該対象物の識別と前記特性値との対応を登録した特性値テーブルと、前記ユーザから前記映像の表示上で範囲の指定を受け付けて、前記表示されている映像中の前記指定された範囲内の部分に画像認識処理を施して、当該範囲内の部分に像が含まれる前記対象物を認識する画像認識手段と、前記画像認識手段が認識した前記対象物の識別との対応が前記特性値テーブルに登録されている前記特性値を前記イコライザに設定するイコライザ特性設定手段とを備えたものである。
【０００７】
このようなオーディオ装置によれば、映像の表示上で所望の対象物が写り込んでいる画像部分を範囲指定するだけで、その対象物の識別との対応が特性値テーブルに登録されている特性値が前記イコライザに設定される。
よって、対象物の識別との対応を特性値テーブルに登録する特性値を適当に設定しておくことにより、より直感的かつ容易に所望の音響特性を設定できるようになる。すなわち、たとえば、前記複数の対象物を、各々音の発生源とし、前記特性値テーブルに登録されている、前記対象物の識別と対応する前記特性値は、当該対象物の発生する音を際立たせる音響特性を表すものとすれば、ユーザは、映像の表示上で、当該映像に含まれている、より良く音を聴きたい対象物の像の範囲を指定するだけで、当該対象物の発生する音を際立たせる音響特性の特性値をイコライザに設定することができる。
【０００８】
ここで、以上のようなオーディオ装置は、前記イコライザ特性設定手段において、画像認識手段が複数の対象物を認識した場合に、当該複数の対象物の内からの一つの対象物の選択をユーザから受け付け、選択を受け付けた対象物の識別に対応して前記特性値テーブルに登録されている前記特性値を前記イコライザに設定するように構成することもできる。
【発明の効果】
【０００９】
以上のように、本発明によれば、より容易に所望の音響特性を設定できるオーディオ装置を提供することができる。
【図面の簡単な説明】
【００１０】
【図１】本発明の実施形態に係るオーディオ装置の構成を示すブロック図である。
【図２】本発明の実施形態に係るイコライザ特性テーブルの内容を示す図である。
【図３】本発明の実施形態に係るイコライザ特性設定制御処理を示すフローチャートである。
【図４】本発明の実施形態に係るイコライザ特性設定制御処理の処理例を示す図である。
【図５】本発明の実施形態に係るイコライザ特性設定制御処理の処理例を示す図である。
【発明を実施するための形態】
【００１１】
以下、本発明に係るオーディオ装置の実施形態について説明する。
図１に、本実施形態に係るオーディオ装置の構成を示す。
図示するように、オーディオ装置は、ビデオ再生装置やＴＶ受信機などのオーディオデータと映像データとを出力するビデオソース機器１、スピーカ２、入力装置３、表示装置４、制御部５、イコライザ６、アンプ７、ビデオメモリ８、表示制御部９、画像認識辞書１０、画像認識部１１、イコライザ特性設定制御部１２、イコライザ特性テーブル１３とを備えている。
【００１２】
但し、本オーディオ装置は、マイクロプロセッサや、メモリや、その他の周辺デバイスなどの一般的なハードウエア構成を備えたコンピュータを利用して構成されるものであってよく、この場合、以上に示した制御部５、画像認識辞書１０、画像認識部１１、イコライザ特性設定制御部１２、イコライザ特性テーブル１３、イコライザ６などの各部、または、その一部は、コンピュータが所定のコンピュータプログラムを実行することにより実現されるリソースやプロセスであってよい。
【００１３】
このような構成において、制御部５は、入力装置３で受け付けたユーザ操作に応じて、ビデオソース機器１の動作を制御する。
また、ビデオソース機器１から出力されたオーディオデータは、イコライザ６においてイコライザ６に設定されているイコライザ特性に従って音響特性が調整された後、アンプ７を介してスピーカ２に出力される。一方、ビデオソース機器１から出力された映像データは、一旦、ビデオメモリ８に格納された後、表示制御部９によって読み出され、映像データが表す映像が表示装置４に表示される。
【００１４】
次に、画像認識辞書１０には、画像認識部１１において行う画像認識処理において画像認識する対象である認識対象の各々に対応づけて、当該認識対象を表す画像の特徴を表す特徴データが格納されている。ここで、画像認識部１１において行う画像認識処理では、たとえば、「男性ボーカル」、「女性ボーカル」、「ギター」、「ベース」などの、音の発生源となる歌唱者や楽器の種別を認識の対象とする。
【００１５】
そして、イコライザ特性テーブル１３には、図２に示すように、上述した画像認識処理において認識する各認識対象に対応づけて、イコライザ特性を登録する。ここで、イコライザ特性テーブル１３には、イコライザ特性として、各チャネル毎にFc,Q,Gainなどによって表される周波数特性を登録する。また、イコライザ特性テーブル１３に登録するイコライザ特性が表す周波数特性は、基本的には、対応づけられた認識対象の発生する音を際だたせるものとする。すなわち、たとえば、「女性ボーカル」に対応づけられてイコライザ特性テーブル１３に登録されたイコライザ特性が表す周波数特性は女性の声の音域を際だたせるものとし、「ギター」に対応づけけられてイコライザ特性テーブル１３登録されたイコライザ特性が表す周波数特性はギターの音域を際だたせるものとする。
【００１６】
以下、このようなオーディオ装置において行う、イコライザ６へのイコライザ特性の設定動作について説明する。
イコライザ特性設定制御部１２は、イコライザ６へのイコライザ特性の設定のために、図３に示すイコライザ特性設定制御処理を行う。
図示するように、この処理では、制御部５がユーザ操作に従ってビデオソース機器１の出力をポーズ状態（映像を構成する１フレームを静止画として表示している状態）に制御しているときに（ステップ３０２）、ユーザによる入力装置３を介した、表示装置４の表示画面上の範囲指定が発生するのを監視する（ステップ３０４）。
【００１７】
そして、範囲指定が発生したならば、画像認識部１１を用いて、当該時点で表示装置４で表示している映像の、指定された範囲内の部分の画像の画像認識を行って、指定された範囲内の部分の画像に像が写り込んでいる認識対象を識別する（ステップ３０６）。ここで、ステップ３０６において、画像認識部１１は、ビデオメモリ８に格納されている静止画表示中の映像の映像データが表す画像中の、指定された範囲内の部分の画像に対して、画像認識辞書１０を用いて画像認識処理を施して、上述した認識対象のいずれの像が、当該入力された範囲内の部分の画像に含まれているかを識別し、識別結果をイコライザ特性設定制御部１２に通知する。
【００１８】
すなわち、たとえば、ポーズ状態とされたビデオソース機器１によって図４ａに示す画像が静止画表示されているときに、図４ｂに示す範囲４０１がユーザによって入力装置３によって指定された場合には、画像認識部１１は、指定された範囲４０１内の画像である図４ｃに示す画像に対して画像認識処理を施して、図４ｃに示す画像に含まれるパターンの特徴とマッチする特徴データと対応づけて画像認識辞書１０に登録されている認識対象（ここでは、「女性ボーカル」）を識別し、イコライザ特性設定制御部１２に通知する。
【００１９】
次に、このようにして画像認識を行ったならば、イコライザ特性テーブル１３より、画像認識で識別した認識対象に対応づけて登録されているイコライザ特性を取得し（ステップ３０８）、取得したイコライザ特性をイコライザ６に設定する（ステップ３１０）。
すなわち、図４ｂに示す範囲４０１がユーザによって入力装置３によって指定され、「女性ボーカル」を画像認識した場合には、「女性ボーカル」に対応づけてイコライザ特性テーブル１３に登録されているイコライザ特性をイコライザ６に設定する。
ここで、イコライザ６は、イコライザ特性が設定されたならば、以降、設定されたイコライザ特性に従ってオーディオデータの音響特性の調整を行う。
この結果、図４ｂに示すように表示装置４の表示上で「女性ボーカル」が写り込んでいる画像部分４０１をユーザが範囲指定するだけで、「女性ボーカル」の音域を際だたせるオーディオデータの音響特性の調整をイコライザ６に行わせるイコライザ特性が、自動的にイコライザ６に設定されることになる。
【００２０】
以上、イコライザ特性設定制御処理について説明した。
ところで、以上のイコライザ特性設定制御処理のステップ３０６の画像認識において、指定範囲内の画像に対する画像認識処理によって複数の認識対象が識別された場合には、以下のようにしてよい。
すなわち、識別された複数の認識対象のうちのいずれか一つの認識対象を所定の規則に従って選択して、選択認識対象とし、選択認識対象に対応づけて登録されているイコライザ特性をイコライザ特性テーブル１３より取得し（ステップ３０８）、取得したイコライザ特性をイコライザ６に設定するようにする（ステップ３１０）。ここで、上記所定の規則としては、画像認識辞書１０に登録されている当該認識対象の特徴データと指定範囲内の画像中のパターンとのマッチ度が最大の認識対象を選択認識対象とする規則や、識別した認識対象に対応する指定範囲内の画像中のパターンのサイズが最も大きい認識対象を選択認識対象とする規則や、識別した認識対象に対応する指定範囲内の画像中のパターンの中心位置が、指定範囲の中心に最も近い認識対象を選択認識対象とする規則などを用いることができる。
【００２１】
または、イコライザ特性テーブル１３に、複数の認識対象の組み合わせに対応づけたイコライザ特性も登録しておくようにし、識別された複数の認識対象の組み合わせに対応づけられたイコライザ特性をイコライザ特性テーブル１３より取得し（ステップ３０８）、取得したイコライザ特性をイコライザ６に設定するようにしてもよい（ステップ３１０）。
【００２２】
または、識別された複数の認識対象のリストを表示装置４に表示し、表示したリスト中からの一つの認識対象の選択をユーザから受け付け、選択された認識対象を、選択認識対象として、選択認識対象に対応づけて登録されているイコライザ特性をイコライザ特性テーブル１３より取得し（ステップ３０８）、取得したイコライザ特性をイコライザ６に設定するようにしてもよい（ステップ３１０）。
【００２３】
すなわち、たとえば、図５ａに示すようにユーザから指定された範囲５０１に対する画像認識によって「女性ボーカル」と「ギター」が識別された認識対象として得られた場合には、図５ｂに示すように、選択ウインドウ５０２を表示して、識別された認識対象「女性ボーカル」、「ギター」のリストを表示して、「女性ボーカル」、「ギター」のいずれかの選択を受け付けて、選択認識対象とするようにする。
【００２４】
または、図５ｃに示すように、ユーザから指定された範囲５０３に対する画像認識によって「女性ボーカル」と「男性ボーカル」が識別された認識対象として得られた場合には、選択ウインドウ５０２を表示して、識別された認識対象「女性ボーカル」、「男性ボーカル」のリストを表示して、「女性ボーカル」、「男性ボーカル」のいずれかの選択を受け付けて、選択認識対象とするようにする。
【００２５】
または、図５ｄに示すように、以上のイコライザ特性設定制御処理のステップ３０６の画像認識において、指定範囲５０４内の画像に対する画像認識処理によって、認識対象として複数の大きさが異なる人物であるところの認識対象（「女性ボーカル」や「男性ボーカル」等）が、識別された場合には、同図に示すように選択ウインドウ５０５を表示し、識別した認識対象と、奥行き感のいずれかの選択を受け付け、識別した認識対象が選択された場合には、識別した認識対象に対応づけて登録されているイコライザ特性をイコライザ特性テーブル１３より取得し（ステップ３０８）、取得したイコライザ特性をイコライザ６に設定し、奥行き感が選択された場合には、イコライザ特性テーブル１３に予め登録しておいた出力音像の奥行き感を増加させる音響特性を与えるイコライザ特性を取得して、取得したイコライザ特性をイコライザ６に設定するようにしてもよい。
【００２６】
ところで、以上の実施形態では画像認識辞書１０に、認識対象を表す画像の特徴を表す特徴データを認識対象と対応づけて登録したが、画像認識辞書１０には認識対象を表す典型的な画像を参照画像として認識対象と対応づけて登録するようにしてもよい。ここで、この場合、画像認識部１１は、指定された範囲内の画像とパターンや特徴がマッチする参照画像と対応づけて画像認識辞書１０に登録されている認識対象を識別する。
【００２７】
なお、以上のオーディオ装置には、画像認識辞書１０やイコライザ特性テーブル１３の内容をユーザ操作に応じて編集する編集機能を設けるようにしてもよい。また、この場合において、画像認識辞書１０に上述のように参照画像を登録する場合には、ビデオソース機器１が出力するビデオデータが表す画像を参照画像として画像認識辞書１０に登録できるようにしてもよい。
【００２８】
以上、本発明の実施形態について説明した。
【符号の説明】
【００２９】
１…ビデオソース機器、２…スピーカ、３…入力装置、４…表示装置、５…制御部、６…イコライザ、７…アンプ、８…ビデオメモリ、９…表示制御部、１０…画像認識辞書、１１…画像認識部、１２…イコライザ特性設定制御部、１３…イコライザ特性テーブル。
【図１】
2011217328.tif 000003
【図２】
2011217328.tif 000004
【図３】
2011217328.tif 000005
【図４】
2011217328.tif 000006
【図５】
2011217328.tif 000007